(57)【要約】ＧＰＳアンテナ利得と合わせて、ＶＣＳＥＬマルチモード送信機ノイズよりも大きい利得を有するＶＣＳＥＬマルチモード送信機を含む、光ファイバーＧＰＳ信号デバイスおよびその方法が開示される。長距離（すなわち、２０００フィート以上までの長さ）のマルチモードファイバーを介して、光ファイバー受信機と動作可能に連絡されるとき、ＧＰＳ信号は、とりわけＬ１周波数およびＬ２周波数において、マルチモードファイバーの長さにわたって最小の劣化で送信される。本発明は、長距離のケーブルを必要とする多様なＧＰＳ送信用途において用いられ得る。例えば、本発明は、ＧＰＳアンテナが大容量の商業電話同期（ＤＴＭＦ）用途における使用のために、オフィスビルの上またはセル電話塔の上にＧＰＳ受信機から遠隔に設置されているとき、特に有用である。
2010540910.tif 000002
【特許請求の範囲】
【請求項１】
ＧＰＳ信号をＬ１（１５７５．４２ＭＨｚ）周波数および／またはＬ２（１２２７．６ＭＨｚ）周波数でマルチモードファイバーを介して送信する装置であって、該ＧＰＳ信号は、利得を有するＧＰＳアンテナから受信され、該装置は、
光ファイバー送信機であって、該光ファイバー送信機は、該ＧＰＳアンテナと動作可能に連絡し、ＶＣＳＥＬマルチモード送信機を備え、該ＶＣＳＥＬマルチモード送信機は、ノイズレベルと、レーザー本体と、特定可能な利得を有し、該レーザー本体と動作可能に接続している増幅器とを備えている、光ファイバー送信機と、
該光ファイバー送信機と動作可能に連絡し、ある長さを有するマルチモードファイバーケーブルと、
該マルチモードファイバーケーブルと動作可能に連絡している光ファイバー受信機と、
該光ファイバー受信機と動作可能に連絡している少なくとも一つのＧＰＳ受信機と
を備えている、装置。
【請求項２】
前記増幅器の前記特定可能な利得と前記ＧＰＳアンテナ利得とで構成されている総利得をさらに備えている、請求項１に記載の装置。
【請求項３】
前記ＶＣＳＥＬマルチモード送信機の前記ノイズレベルよりも大きい前記総利得をさらに備えている、請求項２に記載の装置。
【請求項４】
前記マルチモードファイバーケーブルの長さは、２，０００フィートまで含む、請求項１に記載の装置。
【請求項５】
前記マルチモードファイバーケーブルの長さは、２，０００フィートよりも長い、請求項４に記載の装置。
【請求項６】
前記ＶＣＳＥＬマルチモード送信機の前記ノイズレベルよりも１０ｄＢ大きい前記総利得をさらに備えている、請求項３に記載の装置。
【請求項７】
前記ＶＣＳＥＬマルチモード送信機の前記ノイズレベルよりも１０ｄＢ未満の量だけ大きい前記総利得をさらに備えている、請求項３に記載の装置。
【請求項８】
前記ＶＣＳＥＬマルチモード送信機の前記ノイズレベルよりも１０ｄＢを超える量だけ大きい前記総利得をさらに備えている、請求項３に記載の装置。
【請求項９】
８００ＭＨｚと１８００ＭＨｚとの間のある周波数を有する前記ＧＰＳ信号をさらに備えている、請求項１に記載の装置。
【請求項１０】
前記ＶＣＳＥＬマルチモード送信機のレーザー本体と動作可能に接続している熱伝導プレートをさらに備えている、請求項１に記載の装置。
【請求項１１】
ＧＰＳ信号をＬ１（１５７５．４２ＭＨｚ）周波数および／またはＬ２（１２２７．６ＭＨｚ）周波数でマルチモードファイバーを介して送信する装置であって、該ＧＰＳ信号は、利得を有するＧＰＳアンテナから受信され、該装置は、
光ファイバー送信機であって、該光ファイバー送信機は、該ＧＰＳアンテナと動作可能に連絡し、ＶＣＳＥＬマルチモード送信機を備え、該ＶＣＳＥＬマルチモード送信機は、ノイズレベルと、レーザー本体と、特定可能な利得を有し、該レーザー本体と動作可能に連絡している増幅器とを備えている、光ファイバー送信機と、
該光ファイバー送信機と動作可能に連絡し、ある長さを有するマルチモードファイバーケーブルと、
該マルチモードファイバーケーブルと動作可能に連絡している光ファイバー受信機と、
該光ファイバー受信機と動作可能に連絡している少なくとも一つのＧＰＳ受信機と、
該増幅器の該特定可能な利得と該ＧＰＳアンテナ利得とで構成されている総利得と、
該ＶＣＳＥＬマルチモード送信機のレーザー本体と動作可能に接続している熱伝導プレートと
を備えている、装置。
【請求項１２】
８００ＭＨｚと１８００ＭＨｚとの間のある周波数を有する前記ＧＰＳ信号をさらに備えている、請求項１１に記載の装置。
【請求項１３】
ＧＰＳ信号をマルチモードファイバーを介して送信する方法であって、該方法は、
特定の利得を有するＧＰＳアンテナを提供することと、
光ファイバー送信機を提供することであって、該光ファイバー送信機は、ＶＣＳＥＬマルチモード送信機を備え、該ＶＣＳＥＬマルチモード送信機は、レーザーと特定のノイズレベルとを有し、該ＧＰＳアンテナを該光ファイバー送信機と動作可能に接続している、ことと、
該光ファイバー送信機において特定可能な利得を備えている増幅器を提供することと、
該ＧＰＳアンテナ利得と該特定の増幅器利得との和を備える総利得が、ＶＣＳＥＬマルチモード送信機のノイズレベルよりも大きいことを確実にすることと、
該光ファイバー送信機を、ある長さのマルチモードファイバーを用いて光ファイバー受信機と接続することと、
該光ファイバー受信機を少なくとも一つのＧＰＳ受信機と動作可能に接続することと、
Ｌ１（１５７５．４２ＭＨｚ）周波数および／またはＬ２（１２２７．６ＭＨｚ）周波数のＧＰＳ信号を該ＧＰＳアンテナで受信することと、
該ＧＰＳアンテナからの該ＧＰＳ信号を該光ファイバー送信機に送信することと、
該ＧＰＳ信号を該特定の利得まで増幅することと、
該増幅されたＧＰＳ信号を該光ファイバー受信機に送信することと、
該増幅されたＧＰＳ信号を該少なくとも一つのＧＰＳ受信機に送信することと
を包含する、方法。
【請求項１４】
前記総利得は、前記ＶＣＳＥＬマルチモード送信機のノイズレベルを少なくとも１０ｄＢだけ上回ることを確実にすることをさらに包含する、請求項１３に記載の方法。
【請求項１５】
前記総利得は、前記ＶＣＳＥＬマルチモード送信機のノイズレベルを１０ｄＢまでの量だけ上回ることを確実にすることをさらに包含する、請求項１３に記載の方法。
【請求項１６】
前記マルチモードＶＣＳＥＬ送信機のレーザーを少なくとも摂氏９度の温度に維持することをさらに包含する、請求項１３に記載の方法。
【請求項１７】
８００ＭＨｚと１８００ＭＨｚとの間の任意の周波数における前記ＧＰＳ信号を前記ＧＰＳアンテナで受信することをさらに包含する、請求項１３に記載の方法。
【発明の詳細な説明】
【技術分野】
【０００１】
（発明者）
Ｃｌａｒｅｎｃｅ  Ｗ．Ｆｏｗｌｅｒ（米国市民、テキサス州Ｅｌｇｉｎの居住者）、Ｍｉｃｈａｅｌ  Ｌ．Ｈｉｌｌｍａｎｎ（米国市民、ミズーリ州Ｓｔ．Ｃｈａｒｌｅｓの居住者）、Ｋｅｖｉｎ  Ｊ．Ｋｌｉｎｅ（米国市民、ミズーリ州Ｓｔ．Ｃｈａｒｌｅｓの居住者）、Ｊｏｈｎ  Ｊ．Ｇａｕｂａｔｚ（米国市民、イリノイ州Ｔｒｏｙの居住者）、Ｄａｒｒｅｎ  Ｗ．Ｈａｃｋｅｒ（米国市民、ミズーリ州Ｓｔ．Ｌｏｕｉｓの居住者）。
【０００２】
（関連出願の参照）
本出願は、２００７年９月２５日に出願された仮出願第６０／９７５０６７号への優先権を主張し、同出願の内容の全体は、本明細書で参照により援用される。
【０００３】
（発明の分野）
本発明は、概して、マルチモードファイバーを介した汎地球測位システム（ＧＰＳ）信号を送信する装置、システムおよび方法に関する。
【背景技術】
【０００４】
（本発明の背景）
汎地球測位システム（ＧＰＳ）受信機に対する特定の用途は、受信機がアンテナから１０００フィート以上に配置されることを必要とする。一つのそのような用途は、電話ネットワークにおける時間同期および周波数制御のためのＧＰＳタイミング受信機の使用である。ＧＰＳタイミング受信機のこの用途は、アンテナが大きなオフィスビルの上に配置され、ビルを通して、ＧＰＳが受信機が設置されている電話ネットワーク制御室まで同軸ケーブルをルーティングすることを必要とし得る。標準的な低コストの同軸ケーブルにおける損失は、１．５７５４２ＧＨｚで１００フィート当たり１０ｄＢと３０ｄＢとの間である。同軸ケーブルにおける損失が周波数とともに増加することは周知である。例えば、ＲＧ５８Ｃ同軸ケーブルは、Ｂｕｃｈｓｂａｕｍ’ｓ  Ｈａｎｄｂｏｏｋ  ｏｆ  Ｐｒａｃｔｉｃａｌ  Ｅｌｅｃｔｒｏｎｉｃｓにおいて、１０ＭＨｚで１００フィート当たり１．６ｄＢの損失を有し、１ＧＨｚで１００フィート当たり２４ｄＢの損失を有すると記載されている。同軸ケーブルの損失は、過去に少なくとも三つの方法で対処されてきた。
【０００５】
第一のアプローチは、ケーブル損失を克服するのに十分な利得を有するアンテナにおける低ノイズ増幅器（ＬＮＡ）の配置を含む。しかしながら、ＧＰＳ周波数において、このアプローチは、約２００フィートまでのケーブルの長さに対してのみ有用である。
【０００６】
第二のアプローチは、アンテナにおいて低周波数への低ノイズブロック（ＬＮＢ）下方変換を利用し、より低い周波数を許容するように設計された受信機に同軸ケーブルを介してより低い周波数において信号を送信する。このアプローチは、１．５７５４２ＧＨｚ信号を受信するように設計されているＧＰＳ受信機に適していない。また、より低い周波数信号を許容するＧＰＳ受信機を再設計することは、コスト効率の高い解決策でもない。
【０００７】
第三のアプローチは、アンテナにおける下方変換器部分と、信号を変換してアンテナにおいて受信された元の周波数に戻す受信機における上方変換器部分とを用いることによって、第三の方法で同軸ケーブル損失に対処しようとし、その方法は、本発明と共通の発明人であり共有に係る特許文献１において説明され、同特許の開示は、本明細書にその全体が援用される。簡潔に要約すると、本発明は、周波数誤差の導入を防ぎ、基準信号は、ケーブルに沿って送信され、上方変換プロセスと下方変換プロセスとの両方において用いられる。こうして、振幅における認識可能な損失なしにケーブルの長さに沿って送信されるには高すぎる周波数における受信信号は、より低い周波数に下方変換される。下方変換プロセスは、受信信号を局部発振器信号と混合して中間周波数を生成することを包含する。中間周波数は、ケーブルの長さに沿って送信される。中間周波数は、受信信号の周波数よりもはるかに低くなるように選択される。周波数が減少するにつれてケーブルに沿った信号減衰が減少するので、より低い周波数の中間信号は、より高い周波数の受信信号よりも小さい損失を受ける。ケーブルの反対側で、中間信号は、より高い周波数の出力信号に上方変換される。上方変換プロセスは、中間信号を局部発振器信号と混合することによって遂行される。上方変換器と下方変換器との両方における局部発振器信号は、同じ基準信号から得られる。ＧＰＳ用途に対して、１．５７５４２ＧＨｚの周波数におけるＧＰＳ信号は、アンテナによって受信され、変換器に入り、ここでＧＰＳ信号は、１．６３６８ＧＨｚから差し引かれて６１．３８ＭＨｚの中間周波数を生じる。中間周波数は、増幅され、ダイプレクサーに入る。ダイプレクサーは、双方向電力スプリッターと、６１．３８ＭＨｚ中間周波数と１６．３６８ＭＨｚ基準周波数とを分離させるフィルターとの配列である。中間周波数は、同軸ケーブルの受信端上のダイプレクサーに到着し、中間周波数が１．６３６８ＧＨｚ局部発振器（ＬＯ）信号と混合されて１．５７５４２ＧＨｚの信号を再生成する。変換器の出力は、次いでフィルターに掛けられ、３０ｄＢの利得を有するアクティブなＧＰＳアンテナによって受信された信号を表す信号レベルに減衰される。上方変換器の出力に接続されたＧＰＳ受信機は、信号をあたかも標準的なアクティブなＧＰＳアンテナに接続されているかのように見なす。このことは、使用可能な解決策であるが、同じケーブルまたは同じファイバーの中への他の周波数の付加を可能にするには複雑すぎる。
【０００８】
加えて、ここで使用中の無線周波数光ファイバーリンクは、高いダイナミックレンジに対する必要性を仮定している。これらのデバイスの根拠となっている仮定は、汎用目的のリンクが６０ｄＢ以上のダイナミックレンジにわたる範囲に及ぶ信号を受けることであり、結果として約０ｄＢｍから約−６０ｄＢｍまでの信号電力範囲を意味する。この仮定に固執することは、既存のデバイスが非常に高価になることをもたらす。その費用は、部分的には、特別な低ノイズ直線変調器および特別な検出器に関連したコストに由来する。
【先行技術文献】
【特許文献】
【０００９】
【特許文献１】米国特許第５，９９９，７９５号明細書
【発明の概要】
【発明が解決しようとする課題】
【００１０】
したがって、ＧＰＳ信号をＬ１（１５７５．４２ＭＨｚ）周波数および／またはＬ２（１２２７．６ＭＨｚ）周波数で、ならびに８００ＭＨｚと１８００ＭＨｚとの間の任意の周波数で、例えば２０００フィート以上までの長距離の光ファイバーケーブルに沿って、ＧＰＳ受信機に送信するための安価な方法および装置に対する必要性が、依然として存在する。
【課題を解決するための手段】
【００１１】
（発明の概要）
ＧＰＳアンテナ利得と合わせて、ＶＣＳＥＬマルチモード送信機ノイズよりも大きい利得を有するＶＣＳＥＬマルチモード送信機を含む、光ファイバー信号デバイスおよびその方法が開示される。長距離（すなわち、２０００フィート以上までの長さ）のマルチモードファイバーを介して、光ファイバー受信機と動作可能に連絡されるとき、ＧＰＳ信号は、とりわけＬ１周波数およびＬ２周波数において、マルチモードファイバーの長さにわたって最小の劣化で送信される。本発明は、長距離のケーブルを必要とする多様なＧＰＳ送信用途において用いられ得る。例えば、本発明は、ＧＰＳアンテナが大容量の商業電話同期（ＤＴＭＦ）用途における使用のために、オフィスビルの上またはセル電話塔の上にＧＰＳ受信機から遠隔に設置されているとき、特に有用である。
【００１２】
上記は、以下の本発明の詳細な説明が添付の図面および特許請求の範囲と結びつけて読まれるとき、当業者に明白となる。図面全体にわたって、同様の数字は、類似の部分または同一の部分を指す。
【図面の簡単な説明】
【００１３】
【図１】図１は、本発明の一実施形態のシステムレベルの略図である。
【発明を実施するための形態】
【００１４】
（発明の詳細な説明）
添付の図を参照すると、ＧＰＳ信号をＬ１（１５７５．４２ＭＨｚ）周波数および／またはＬ２（１２２７．６ＭＨｚ）周波数で、ならびに８００ＭＨｚと１８００ＭＨｚとの間の任意の周波数で、例えば２０００フィート以上までの長距離の光ファイバーケーブルに沿って、ＧＰＳ受信機に送信するためのデバイスおよび方法が提供される。
【００１５】
上記で簡潔に述べられたように、ＧＰＳ信号は、高いダイナミックレンジを有していない。言い換えれば、ＧＰＳ信号は、小さく（例えば、−１２０ｄＢｍから−１３０ｄＢｍまで）、約１２ｄＢを超えて変化しない。このことは、部分的には、すべての関連する衛星が、１２，５００マイルの高度で軌道を回り、同じ信号強度、および地上に設置されたＧＰＳ受信機からほぼ均等な距離を有するという事実に起因する。これらの信号強度の変化は、主としてＧＰＳリンクの受信機側におけるアンテナパターン（ｐａｔｔｅｒ）に起因する。良好なＧＰＳ受信アンテナは、１０度の仰角の上にある半球受信パターン（ｐａｔｔｅｒ）に対して約６ｄＢの信号レベル変化であるパターン（ｐａｔｔｅｒ）を有する。大気を通るＧＰＳ信号の伝搬に起因する損失は、さらに約６ｄＢの信号損失をもたらす。こうして、ＧＰＳ信号は、約１２ｄＢのダイナミックレンジを必要とする。
【００１６】
ＧＰＳ信号に対する約１２ｄＢの非常に小さいダイナミックレンジは、本発明における安価な垂直共振器面発光レーザー（ＶＣＳＥＬ）光ファイバー互換送信機の組み込みおよび使用が、例えば、電話ネットワークにおける大容量時間同期および周波数制御（すなわち、ＤＴＭＦ）において、低コストのＧＰＳファイバーリンク用途を提供することを可能にする。
【００１７】
本発明において使用されているようなＶＣＳＥＬマルチモード送信機は、当該分野で公知であり、現在、ＨｏｎｅｙｗｅｌｌおよびＶｉｔｅｓｓｅのようなベンダーから市販されている。そのようなＶＣＳＥＬマルチモード送信機は、低コストのマルチモードファイバーを駆動するように設計されたレーザーを備え、８５０ｎｍの波長で（すなわち、可視赤色光スペクトルの下位端で）２．５ＧＨｚまで直線変調が可能である。一般的に、ＶＣＳＥＬ送信機は、５０ｄＢのノイズ指数を有する劣ったノイズ性能を有し、１ｄＢ程度の低いノイズ指数を有し得る低ノイズ増幅器と対照的である。さらに、そのようなＶＣＳＥＬ送信機は、低温動作に対する制限を含む。すなわち、ＶＣＳＥＬ送信機は、適当な機能のために摂氏９度以上で動作されなければならない。これらの性能の問題の結果として、ＶＣＳＥＬ送信機は、ＧＰＳ信号送信に対する明白な選択ではない。
【００１８】
さらに、マルチモードファイバーは、１ＧＨｚ未満で指定される帯域幅を含む。したがって、マルチモードファイバーは、現在２０００フィート以上までの長い範囲の距離にわたってＬ１（１５７５．４２ＭＨｚ）周波数およびＬ２（１２２７．６ＭＨｚ）周波数を含むＧＰＳ信号に対して、適していないように見える。マルチモードファイバーの帯域幅がデジタルデータ（１と０とで構成される）に対して指定され、マルチモードファイバーがさまざまな変調周波数を含むので、波形は、ファイバーの長さが増すにつれてひずむ傾向があり得る。とりわけ、これらの要因が組み合わされると、マルチモードファイバーがＧＰＳ信号送信に対する明白でない選択になる。
【００１９】
しかしながら、発明者らは、遅延ひずみが比較的狭帯域のＧＰＳ信号を劣化させないことを決定した。いくつかの他のＧＰＳ周波数がＧＰＳ衛星に対して企図され、本発明は、８００ＭＨｚと１．８ＧＨｚとの間の任意の周波数を扱うことができる。加えて、発明者らは、ＶＣＳＥＬ送信機のほぼ５０ｄＢのノイズを利得によって抑制した。
【００２０】
図１を特に参照すると、本発明の一実施形態１０が提供される。こうして、当該分野で周知のＧＰＳアンテナ２０が提供される。そのようなＧＰＳアンテナ２０は、非常に低いレベル（−１２０ｄＢｍから−１３０ｄＢまで）のＧＰＳ信号を受信することができ、２６ｄＢの通常の利得を有する。ＧＰＳアンテナ２０は、標準的な５０Ωの同軸ケーブル６０によって光ファイバー送信機５０に動作可能に接続された態様で、図示されている。光ファイバー送信機５０は、図示されていないが当該分野で周知のＶＣＳＥＬマルチモード送信機を備えている。ＶＣＳＥＬマルチモード送信機は、レーザーを備え、ＧＰＳ信号の送信を促進する。ＶＣＳＥＬマルチモード送信機は、当該分野で周知の標準的なケーブル４０を介して電源３０に動作可能に接続されている。次いで、ＶＣＳＥＬマルチモード送信機を備えている光ファイバー送信機５０は、マルチモード光ファイバーケーブル７０を介して光ファイバー受信機８０と動作可能に連絡し、光ファイバー受信機８０は、少なくとも一つのＧＰＳ受信機１００と、例えば標準的な５０Ωの同軸ケーブル９０によって動作可能に連絡している。光ファイバー送信機５０と光ファイバー受信機８０とを動作可能に接続しているマルチモード光ファイバーケーブル７０は、近い将来の特定の仕事に依存して、２０００フィート以上までの長さを備え得る。
【００２１】
この配列を用いて、発明者らは、光ファイバー送信機５０のＶＣＳＥＬマルチモード送信機の５０ｄＢのノイズ指数を克服するために、ＧＰＳアンテナ２０（ＧＰＳアンテナ２０は、それ自体で約２６ｄＢから約３２ｄＢまでの利得を備える）から来るＧＰＳ信号を、約２８ｄＢから約３２ｄＢまでの付加によって増幅し、約６０ｄＢという総利得を生じ、結果として低コストのＧＰＳ光ファイバーリンクを生成する。ＶＣＳＥＬマルチモード送信機内の増幅は、当業者に周知のように、ＶＣＳＥＬ送信機のノイズ指数を超える利得を指定することによって達成される。こうして、ＶＣＳＥＬマルチモード送信機は、利得が指定され得る増幅器（図示されていないが、当該分野でよく理解されている）を備えている。ＶＣＳＥＬ送信機増幅器に対する利得の仕様は、ＶＣＳＥＬ送信機のノイズを克服するために必要とされる実際の利得に依存して、そして約２６ｄＢと約３２ｄＢとの間で変化し得るＧＰＳアンテナの実際の利得の観点から、さまざまなレベルを含み得る。ＶＣＳＥＬマルチモード送信機ノイズレベルに対して、ＧＰＳアンテナとＶＣＳＥＬ利得との間で達成される総利得における１０ｄＢの増加が好適であるが、ＶＣＳＥＬマルチモード送信機ノイズに対する他の利得増加（１０ｄＢを超える増加および１０ｄＢ未満の増加を含む）が十分に本発明の範囲内である。
【００２２】
例として、そして制限することなしに、全体で６０ｄＢのＧＰＳ信号の増幅は、アンテナ２０からのノイズが光ファイバー送信機５０のＶＣＳＥＬ送信機のレーザーからのノイズ電力を１０ｄＢだけ上回ることを意味する。このことは、同様に、ＧＰＳアンテナ２０からのノイズがレーザーノイズを１０倍だけ上回ることを意味する。結果として、ＧＰＳ信号は、本発明のファイバーリンクを通して、そして少なくとも一つのＧＰＳ受信機１００に、劣化なしに送信される。加えて、ＶＣＳＥＬマルチモード送信機を備える光ファイバー送信機５０の動作可能な波長が８５０ｎｍであり、可視赤色光スペクトルの下位端にあるので、低コストのマルチモード光ファイバーケーブル７０は、２０００フィート以上までの長さで性能の劣化なしに用いられ得る。
【００２３】
光ファイバー送信機５０のＶＣＳＥＬ送信機が摂氏９度未満の低温動作制限を有するので、ＶＣＳＥＬマルチモード送信機（特に、ＶＣＳＥＬマルチモード送信機のレーザー本体（ｂｏｄｙ））は、当該分野で公知のような熱伝導プレートと動作するように接続されている。レーザー本体は、ＶＣＳＥＬマルチモード送信機の増幅器と動作可能に接続されている。熱伝導プレートの温度は、監視され、摂氏９度未満になることが不可能である。
【００２４】
本発明に従った方法は、
マルチモードファイバーを介してＧＰＳ信号を送信する方法を包含し得、この方法は、
特定の利得を有するＧＰＳアンテナを提供することと、
光ファイバー送信機を提供することであって、光ファイバー送信機は、特定のノイズレベルを有し、ＧＰＳアンテナを光ファイバー送信機と動作可能に接続するＶＣＳＥＬマルチモード送信機を備えている、ことと、
光ファイバー送信機の中に特定可能な利得を備える増幅器を提供することと、
ＧＰＳアンテナ利得と特定の増幅器利得との和を備える総利得が、ＶＣＳＥＬマルチモード送信機のノイズレベルよりも大きいことを確実にすることと、
光ファイバー送信機をある長さのマルチモードファイバーで光ファイバー受信機と接続することと、
光ファイバー受信機を少なくとも一つのＧＰＳ受信機と動作可能に接続することと、
ＧＰＳ信号をＧＰＳアンテナで受信することと、
ＧＰＳアンテナからのＧＰＳ信号を光ファイバー送信機に送信することと、
ＧＰＳ信号を特定の利得まで増幅することと、
増幅されたＧＰＳ信号を光ファイバー受信機に送信することと、
増幅されたＧＰＳ信号を少なくとも一つのＧＰＳ受信機に送信することと
を包含する。
【００２５】
付加的な方法のステップは、ＶＣＳＥＬ送信機レーザーを少なくとも摂氏９度の温度に維持することを包含し得る。
【００２６】
上記明細書は、本発明の特定の好適な実施形態を説明する。本明細書は、決して特許請求の範囲の範囲を制限することを意図していない。他の修正、変更または代替は、ここでそれらを当業者に示唆し得、それらのすべては、本発明の精神および範囲の中にある。したがって、本発明は以下に添付の特許請求の範囲の範囲によってのみ制限されることが、意図される。
【図１】
2010540910.tif 000003
【国際調査報告】
2010540910.tif 000004